(57)【要約】【課題】  文字や模様等を造形する模様型抜き部が、あらゆる文字や模様等に対応できる型板を提供するとともに、デニム布地に点描状のダメージ装飾がなされるジーンズのダメージ加工方法を提供すること。【解決手段】  型板４はその模様型抜き部６が、メッシュ状に貫設される多数の抜き穴５により所要に造形される。  また、前記型板４の抜き穴５を介して摩擦手段又は貫通手段により、デニム布地９に点描状のダメージ加工を施す。【選択図】図１
2013241688.tif 000002
【特許請求の範囲】
【請求項１】
デニム布地からなるジーンズ製品の要所に、模様型抜き部が施された型板を当て、その固定部で仮止めし、模様表現手段を介して該要所に模様を表現するジーンズのダメージ加工方法において、
前記型板の模様型抜き部が、メッシュ状に貫設される多数の抜き穴により所要に造形されて成り、前記模様表現手段が、該各抜き穴から前記デニム布地に剥がし作用を呈する摩擦手段であるジーンズのダメージ加工方法。
【請求項２】
デニム布地からなるジーンズ製品の要所に、模様型抜き部が施された型板を当て、その固定部で仮止めし、模様表現手段を介して該要所に模様を表現するジーンズのダメージ加工方法において、
前記型板の模様型抜き部が、メッシュ状に貫設される多数の抜き穴により所要に造形されて成り、前記模様表現手段が、該各抜き穴から前記デニム布地を貫通する貫通手段であるジーンズのダメージ加工方法。
【請求項３】
模様型抜き部と固定部とからなる型板において、
該模様型抜き部が、メッシュ状に貫設される多数の抜き穴により所要に造形されて成るジーンズのダメージ加工方法に用いられる型板。
【発明の詳細な説明】
【技術分野】
【０００１】
本発明は、主としてジーンズ又はカジュアル繊維製品へのダメージ加工技術に関する。
【背景技術】
【０００２】
ジーンズ製品に対し、所要部分に着古し風の染色の剥がしを施す技術として、実開昭６４−２０２０号公報（特許文献１）に、前記所要部分に文字もしくは模様などの型抜き部を設けた治具を当て、該型抜き部に高圧ジェット水流を噴射させて、部分的に染色の剥がしがなされたジーンズ製品が提案されている。
しかし、上記特許文献１における治具は、その型抜き部が単に型抜きによる文字や模様であるため、連続する外輪郭線の内部は打ち抜かれるから、その内部に文字構成部や図柄を配設するには、それらを型抜き部の内部でデニム布地に貼り付けるなどの二度手間を要するものであるため、模様が制限される上、ダメージ加工が一様の剥がし模様で装飾性に乏しいものである。
【先行技術文献】
【特許文献】
【０００３】
【特許文献１】実開昭６４−２０２０号公報
【発明の概要】
【発明が解決しようとする課題】
【０００４】
本発明は上記従来技術に鑑みて、文字や模様等を造形する模様型抜き部が、あらゆる文字や模様に対応できる型板を提供するとともに、デニム布地に点描状のダメージ装飾がなされるジーンズのダメージ加工方法を提供する
【課題を解決するための手段】
【０００５】
本発明の請求項１に記載したジーンズのダメージ加工方法は、デニム布地からなるジーンズ製品の要所に、模様型抜き部が施された型板を当て、その固定部で仮止めし、模様表現手段を介して該要所に模様を表現するジーンズのダメージ加工方法において、
前記型板の模様型抜き部が、メッシュ状に貫設される多数の抜き穴により所要に造形されて成り、前記模様表現手段が、該各抜き穴から前記デニム布地に剥がし作用を呈する摩擦手段である。
本発明の請求項２に記載したジーンズのダメージ加工方法は、デニム布地からなるジーンズ製品の要所に、模様型抜き部が施された型板を当て、その固定部で仮止めし、模様表現手段を介して該要所に模様を表現するジーンズのダメージ加工方法において、
前記型板の模様型抜き部が、メッシュ状に貫設される多数の抜き穴により所要に造形されて成り、前記模様表現手段が、該各抜き穴から前記デニム布地を貫通する貫通手段である。
本発明の請求項３に記載したジーンズのダメージ加工方法に用いられる型板は、模様型抜き部と固定部とからなる型板において、
該模様型抜き部が、メッシュ状に貫設される多数の抜き穴により所要に造形されて成る。
【発明の効果】
【０００６】
本発明は、ジーンズ製品にダメージ風の装飾を施す際に、型板に設ける模様型抜き部が、メッシュ状に形成される多数の抜き穴によって文字や模様を造形できるから、抜き穴相互は型板素材で連接されるため、何ら制限されることなく、その造形は自由自在であり、しかも、このような型板の抜き穴を介して摩擦手段や貫通手段で、デニム布地に点描状のダメージ装飾を施すことができるから、従来にない新しい感覚の装飾性を出現させ、ジーンズ製品等の服飾業界の活性化に多大に寄与できる。
【図面の簡単な説明】
【０００７】
【図１】ジーンズ製品のズボン１の膝部分にダメージ加工を施し、型板４を一部破断した説明図。
【図２】型板４の部分拡大説明図で、分図（ａ）は花びら模様２の一部を、丸穴５aによる抜き穴５の造形で示したもの、分図（ｂ）は花びら模様２の一部を、縦長矩形穴５bによる抜き穴５の造形で示したもの、分図（ｃ）は図１の右側に配設した横縞模様３の一部を、横長矩形穴５cによる抜き穴５の造形で示したもの。
【図３】ジーンズ製品の上着に「ＬＯＶＥ」なる文字を表現する際の従来技術の欠陥を示す説明図。
【図４】本発明に係る型板４で「Ｏ」なる文字を表現する際の説明図。
【発明を実施するための形態】
【０００８】
本発明に用いられる型板の素材は、金属板や耐摩耗性の硬質合成樹脂板等であり、各種の模様型抜き部と仮止め用の固定部が設けられて提供され、模様型抜き部は、各種の文字や図柄等の模様がメッシュ状に貫設される多数の抜き穴により所要に造形され、抜き穴は丸穴、角穴、矩形穴（縦長、横長等）等であり、それらの抜き穴のサイズは同一サイズのものから、大小、長短が混在するものでもよい。
また、模様表現手段としてのデニム布地に剥がし作用をする摩擦手段とは、金ブラシやエアーブラシ或は高圧ジェット水流等であり、模様表現手段としての貫通手段とは、デニム布地をスポットで焼き切るレーザー光やスポットで穿孔するドリル等であり、この貫通手段を用いる場合は、型板に造形される抜き穴の配列模様をコンピュータに記憶させると、ＮＣ（数値制御）加工機によって容易にダメージ加工をデニム布地に施すことができる。
【実施例】
【０００９】
本発明を実施例により説明すると、図１に示すように、ジーンズ製品のズボン１の膝部分に、その左方で点描状の花びら模様２を配設し、右方に点描状の横縞模様３を配設する場合に、それぞれ仮想線で示すように、金属製の型板４にメッシュ状に多数貫設された抜き穴５により、花びら模様２や横縞模様３が造形された模様型抜き部６が配設され、裏面に接着された固定部７としての両面接着テープ８によりデニム布地９に仮止めされ、型板４の表面から模様表現手段である摩擦手段としての金ブラシ（図外）で摩擦処理され、各抜き穴５を介してデニム布地９に前記した花びら模様２や横縞模様３のダメージ加工が施される。
ここで、型板４に配設する模様型抜き部６について詳述すると、図２（ａ）に示したものは、抜き穴５が丸穴５aから成り、型板４の裏面には該模様型抜き部６を除いて、両面接着テープ８が接合され、剥離紙（図外）が除去されてデニム布地９に仮止めされ、摩擦処理後はデニム布地９から型板４が剥がされる。
また、分図（ｂ）に示したものは、抜き穴５が縦長矩形穴５bから成るものであり、分図（ｃ）に示したものは、横縞模様３などのダメージ加工を施す際の抜き穴５が横長矩形穴５cから成る。
このように、本発明のジーンズのダメージ加工方法に用いられる型板４は、多数のメッシュ状に貫設される抜き穴５によって模様型抜き部６が形成されるから、各抜き穴５は型板４の素材によって相互に連接され、その集合体として所要の文字や図柄などの模様を造形するものであるため、単に打ち抜かれる抜き穴と異なり、模様の造形に制限されることなく、あらゆる模様に対応できる。
すなわち、図３に示すように、従来の型板４０の抜き穴５０で「ＬＯＶＥ」なる文字を摩擦処理によりダメージ加工する場合は、「Ｏ」文字の連続する内輪郭線１０の内部にある仮想線で示される内部分５０aも除去されるから、この内部分５０aをデニム布地９に後付けで仮止めしなければならず、多くの手間を要することとなる。
これに対して本発明の型板４によれば、図４に示すように、多数のメッシュ状に貫設される抜き穴５により「Ｏ」文字が表現されるから、後付けなどの二度手間を要することなく、摩擦手段により点描状にダメージ加工が施される。
なお、本発明の型板４に貫設される模様型抜き部６の多数の抜き穴５によれば、貫通手段としてのレーザー光やドリルなどによるダメージ加工も施され得る。
以上のように、本発明によれば型板４に造形される文字や図柄などの模様は制限されることなく、あらゆる模様が対象とされて点描状にダメージ加工が施されるから、新規な装飾性のあるダメージ装飾としてアピールできる。
【産業上の利用可能性】
【００１０】
本発明は、ジーンズ製品等に点描状のダメージ加工を施すものであるから、従来にない新規な装飾性のあるダメージ装飾を提供し、ジーンズ製品等の服飾業界に大いに貢献できる。
【符号の説明】
【００１１】
１：ズボン
２：花びら模様
３：横縞模様
４：型板
５：抜き穴
５a：丸穴
５b：縦長矩形穴
５c：横長矩形穴
６：模様型抜き部
７：固定部
８：両面接着テープ
９：デニム布地
１０：内輪郭線
４０：型板
５０：抜き穴
５０a：内部分
【図１】
2013241688.tif 000003
【図２】
2013241688.tif 000004
【図３】
2013241688.tif 000005
【図４】
2013241688.tif 000006